(57)【要約】      （修正有）【課題】固定パイプに中芯材を通すだけで固定パイプを中芯材に固定することができるコイル状装飾体を提供する。【解決手段】弾性を有する金属線材を螺旋状に巻き付けて中芯材１を設ける。中芯材１を挿通せしめる挿通孔を有する固定パイプ２を設ける。固定パイプ２の側面に突設した連結体３Ａに、装飾体３を装着する。固定パイプ２の挿通孔に中芯材１を挿通する。中芯材１の外側面が挿通孔に圧接状態で係合する係合部を設ける。係合部にて固定パイプ２を中芯材１に固定するように構成する。【選択図】図１
0003205549.tif 000002
【実用新案登録請求の範囲】
【請求項１】
弾性を有する金属線材を螺旋状に巻き付けた中芯材と、該中芯材を挿通せしめる挿通孔を有する固定パイプと、該固定パイプの側面に装着する装飾体とで構成され、固定パイプの挿通孔に挿通した中芯材の外側面が挿通孔に圧接状態で係合する係合部を設け、該係合部にて固定パイプを中芯材に固定するように構成したことを特徴とするコイル状装飾体。
【請求項２】
前記固定パイプを側面波形状に屈曲し、該固定パイプの挿通孔の屈曲した内側面に前記係合部を設けた請求項１記載のコイル状装飾体。
【請求項３】
前記固定パイプの開口両端部に固定体を設け、該固定体に、前記固定パイプの開口部の径より小さく形成された固定挿通孔を形成し、該固定挿通孔に挿通した前記中芯材の外側面が圧接状態で係合する補助係合部を設けた請求項１記載のコイル状装飾体。
【請求項４】
前記装飾体は、前記固定パイプの外側面に突設した連結体に装着するように構成した請求項１記載のコイル状装飾体。
【考案の詳細な説明】
【技術分野】
【０００１】
本考案は、コイル状に巻いた中芯材に真珠や半貴石等を装着して指輪やブレスレット等の装飾体として使用するコイル状装飾体に関する。
【背景技術】
【０００２】
従来、金属線をコイル状に巻いて中芯材を形成し、この中芯材に、中空状のパイプや玉状の装飾体を多数通して指輪やブレスレット等として使用するアクセサリーが特許文献１に記載されている。このアクセサリーは、線状の形状記憶材料によって螺旋状に形成された本体部（中芯材）と、この本体部に装着する装飾部とを備えたものである。そして、装飾部に貫通孔を形成し、この貫通孔に本体部を挿通して本体部に装飾部を回転自在に装着するものである。
【０００３】
一方、コイル状に巻いた中芯材を、例えば指輪のリングとして使用し、このリングの側面に真珠や半貴石等を装着する場合がある。この場合、パイプ側面に真珠や半貴石等を装着する固定パイプを設け、この固定パイプに中芯材を通す構造が採用されている。このとき、中芯材を挿通した固定パイプは、中芯材を軸として簡単に回転してしまうので、この固定パイプが回転しないようにするため、ロー付けや、レーザー溶接、接着剤等によって中芯材に固定パイプを固定する必要があった。
【先行技術文献】
【特許文献】
【０００４】
【特許文献１】実用新案登録第３２００８７４号公報
【考案の概要】
【考案が解決しようとする課題】
【０００５】
特許文献１に記載のアクセサリーは、装飾部に形成した貫通孔に中芯材を挿通する構成なので、この中芯材の側面に大きな真珠や半貴石等を突出した状態で固定することはできない。
【０００６】
一方、固定パイプを使用して中芯材の側面に大きめの真珠や半貴石等を装着する場合、中芯材を軸として固定パイプが回転しないように、ロー付けや、レーザー溶接、接着剤等によって固定パイプを中芯材に固定する必要がある。ところが、ロー付けでは、真珠や半貴石等といった熱や酸に弱い素材に使用することはできない。また、接着剤による固定手段では時間が経過すると劣化して外れるおそれがある。更に、レーザー溶接やゴム系の樹脂による固定手段ではコスト高になってしまう不都合がある。
【０００７】
このように、側面に真珠や半貴石等を装着する固定パイプを設け、この固定パイプにコイル状の中芯材を通して固定するコイル状装飾体では、装飾体に悪影響を与えず、安価な手段で長期間確実に固定パイプを固定する構造が求められていた。
【０００８】
そこで本考案は上述の課題を解消すべく案出されたもので、コイル状装飾体において、固定パイプに中芯材を通すだけで固定パイプを中芯材に固定することができるコイル状装飾体の提供を目的とするものである。
【課題を解決するための手段】
【０００９】
本考案の第１の手段は、弾性を有する金属線材を螺旋状に巻き付けた中芯材１と、該中芯材１を挿通せしめる挿通孔２Ａを有する固定パイプ２と、該固定パイプ２の側面に装着する装飾体３とで構成され、固定パイプ２の挿通孔２Ａに挿通した中芯材１の外側面が挿通孔２Ａに圧接状態で係合する係合部４を設け、該係合部４にて固定パイプ２を中芯材１に固定するように構成したことにある。
【００１０】
第２の手段において、前記固定パイプ２を側面波形状に屈曲し、該固定パイプ２の挿通孔２Ａの屈曲した内側面に前記係合部４を設けたものである。
【００１１】
第３の手段は、前記固定パイプ２の開口両端部に固定体５を設け、該固定体５に、前記固定パイプ２の開口部の径より小さく形成された固定挿通孔５Ａを形成し、該固定挿通孔５Ａに挿通した前記中芯材１の外側面が圧接状態で係合する補助係合部６を設けたものである。
【００１２】
第４の手段において、前記装飾体３は、前記固定パイプ２の外側面に突設した連結体３Ａに装着するように構成したものである。
【考案の効果】
【００１３】
請求項１に記載のごとく、弾性を有する金属線材を螺旋状に巻き付けた中芯材１と、該中芯材１を挿通せしめる挿通孔２Ａを有する固定パイプ２と、該固定パイプ２の側面に装着する装飾体３とで構成され、固定パイプ２の挿通孔２Ａに挿通した中芯材１の外側面が挿通孔２Ａに圧接状態で係合する係合部４を設け、該係合部４にて固定パイプ２を中芯材１に固定するように構成したことにより、固定パイプ２に中芯材１を通すだけで固定パイプ２を固定することができる。
【００１４】
請求項２のように、固定パイプ２を側面波形状に屈曲し、該固定パイプ２の挿通孔２Ａの屈曲した内側面に係合部４を設けているので、固定パイプ２を波形状に屈曲するだけで係合部４を設けることができる。したがって、ロー付け、レーザー溶接、樹脂や接着剤による固定手段と比べて装飾体に悪影響を与えず、安価な手段で長期間確実に固定パイプを固定することが可能になった。
【００１５】
請求項３のように、固定パイプ２の開口両端部に固定体５を設け、該固定体５に、固定パイプ２の開口部の径より小さく形成された固定挿通孔５Ａを形成し、該固定挿通孔５Ａ内に挿通した中芯材１が係合する部分を補助係合部６として設けたことにより、係合部４の回転止めをより確実にすることができる。
【００１６】
請求項４のごとく、固定パイプ２の外側面に突設した連結体３Ａに装飾体３を装着するように構成したことで、大きめの真珠や半貴石等の任意の装飾体３を連結体３Ａに固定することが可能になる。
【００１７】
このように本考案によると、パイプ側面に真珠や半貴石等を固定する固定パイプを設け、この固定パイプに中芯材を通す構造において、固定パイプに中芯材を通すだけで固定パイプを固定することができるなどといった当初の目的を達成したものである。
【図面の簡単な説明】
【００１８】
【図１】本考案の一実施例を示す分解斜視図である。
【図２】本考案の固定パイプを示す側面図である。
【図３】本考案の固定パイプを示す側面図である。
【図４】本考案の補助係合部を示す側断面図である。
【図５】本考案の使用例を示す参考図である。
【考案を実施するための形態】
【００１９】
以下、本考案を図示例に基づいて説明する。本考案コイル状装飾体は、指輪やブレスレット等を構成する装飾体である（図５参照）。本考案の基本構成として、中芯材１、固定パイプ２、装飾体３、係合部４を備えている。
【００２０】
中芯材１は、弾性を有する金属線材を螺旋状に巻き付けた線状部材である。この中芯材１の材質として、形状記憶合金などの張力の強い材質を使用し、図示のようなコイル形状に記憶させるものである（図１参照）。
【００２１】
固定パイプ２は、この中芯材１を挿通せしめる挿通孔２Ａを有する筒状部材であり（図２参照）、この固定パイプ２の側面に装飾体３を装着する（図１参照）。この固定パイプ２に装飾体３を装着するには、固定パイプ２の側面に突設した連結体３Ａに装着する。図示の連結体３Ａは、装飾体３に差し込む突起状を成しているが、装飾体３の基端部を包み込む指輪の台座状に形成するなど（図示せず）、任意の形状を選択することができる。
【００２２】
装飾体３は、固定パイプ２の側面に装着する装飾部材で、大きめの真珠や半貴石等の任意の装飾体３が選択される（図１参照）。図示例では、固定パイプ２に装着する装飾体３に加えて、中芯材１を挿通せしめる挿通孔７Ａを持った中空玉７を形成し、中芯材１に多数装着している。中空玉７の材質は、装飾体３と同様に真珠や半貴石など、装飾部材で使用される任意の材質から選択できるものである。
【００２３】
係合部４は、固定パイプ２の挿通孔２Ａに挿通した中芯材１の外側面が挿通孔２Ａに圧接状態で係合する部位である。そして、この係合部４にて固定パイプ２を中芯材１に固定するように構成したものである。
【００２４】
図示の係合部４は、固定パイプ２を側面波形状に屈曲し、該固定パイプ２の挿通孔２Ａの屈曲した内側面に係合部４を設けている（図２参照）。この係合部４は、中芯材１の側面に強く当る部分であり、この係合部４によって固定パイプ２の回転を防止している。そのため、係合部４はできるだけ多く形成することが望ましい。したがって、中芯材１に沿って上下左右に波打つように固定パイプ２を屈曲することで、より多くの係合部４が設けられる（図３参照）。
【００２５】
また、係合部４の外に補助係合部６を設けることも可能である（図４参照）。この補助係合部６は、固定パイプ２の開口両端部に固定する固定体５に形成したものである。すなわち、固定パイプ２の開口両端部に固定体５を固定する。そして、この固定体５に、固定パイプ２の開口部の径より小径の固定挿通孔５Ａを形成し、該固定挿通孔５Ａの開口端部など中芯材１が係合する部分を補助係合部６とするものである。そして、中芯材１の外側面がこの補助係合部６に圧接状態で係合することで、固定パイプ２の回転防止効果をより高めることができる。
【００２６】
尚、本考案ブレスレットの具体的構成は図示例に限られるものではなく、中芯材１や固定パイプ２、装飾体３の構成、形状、寸法、材質、数、連結位置等は図示例のもの等に限定されることなく適宜自由に設定、変更できるものである。
【符号の説明】
【００２７】
１  中芯材
２  固定パイプ
２Ａ  挿通孔
３  装飾体
３Ａ  連結体
４  係合部
５  固定体
５Ａ  固定挿通孔
６  補助係合部
７  中空玉
７Ａ  挿通孔
【図１】
0003205549.tif 000003
【図２】
0003205549.tif 000004
【図３】
0003205549.tif 000005
【図４】
0003205549.tif 000006
【図５】
0003205549.tif 000007